【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
１つ以上の触媒の存在下かつ活性化剤の不在下で、少なくとも１つの反応器中で、１つ以上のオレフィンモノマーを接触させることを含むポリオレフィンを生成するための方法であって、前記触媒のうちの１つ以上が、以下の構造：
【化１】
2018516294.tif 000001
（式中、Ｍは、ａ＋３形式酸化状態であるＩＩＩ族またはランタニド金属であり、
各ＲＡは、独立して、（Ｃ１−Ｃ４０）ヒドロカルビル、（Ｃ１−Ｃ４０）ヘテロヒドロカルビル、Ｓｉ（ＲＢ）３、Ｇｅ（ＲＢ）３、Ｐ（ＲＢ）２、Ｎ（ＲＢ）２、ＯＲＢ、ＳＲＢ、ＮＯ２、ＣＮ、ＣＦ３、ＲＢＳ（Ｏ）−、ＲＢＳ（Ｏ）２−、（ＲＢ）２Ｃ＝Ｎ−、ＲＢＣ（Ｏ）Ｏ−、ＲＢＯＣ（Ｏ）−、ＲＢＣ（Ｏ）Ｎ（Ｒ）−、（ＲＢ）２ＮＣ（Ｏ）−、ハロゲン原子、水素原子、及び任意のそれらの組み合わせからなる群から選択され、
任意選択で、２つ以上のＲＡ基は、１つ以上の環構造に一緒に組み合わせることができ、このような環構造は、各環構造中に任意の水素原子を除いて、３〜５０個の原子を有し、
Ｚは、［（ＲＤ）ｎＧ］ｍであり、式中、ｍは１、２、３、または４であり、Ｇは、炭素、ケイ素、ゲルマニウム、またはホウ素から独立して選択され、Ｇが炭素、ケイ素、またはゲルマニウムであるとき、ｎは２であり、Ｇがホウ素であるとき、ｎは１であり、
Ｙは、Ｍ及びＺに結合されて、−Ｏ−、−Ｓ−、−ＮＲＥ−、及び−ＰＲＥ−からなる群から選択され、
各ＲＢ、ＲＤ、またはＲＥは、独立して、（Ｃ１−Ｃ３０）ヒドロカルビルまたは（Ｃ１−Ｃ３０）ヘテロヒドロカルビルであり、
各Ｘは、独立して、ｎが０より大きいモノアニオン性または中性であり、各Ｘは、独立して、（Ｃ１−Ｃ４０）炭化水素、（Ｃ１−Ｃ４０）ヘテロ炭化水素、（Ｃ１−Ｃ４０）ヒドロカルビル、（Ｃ１−Ｃ４０）ヘテロヒドロカルビル、Ｓｉ（ＲＣ）３、Ｇｅ（ＲＣ）３、Ｐ（ＲＣ）２、Ｎ（ＲＣ）２、ＯＲＣ、ＳＲＣ、ＣＮ、ＣＦ３、ＲＣＳ（Ｏ）−、ＲＣＳ（Ｏ）２−、（ＲＣ）２Ｃ＝Ｎ−、ＲＣＣ（Ｏ）Ｏ−、ＲＣＯＣ（Ｏ）−、ＲＣＣ（Ｏ）Ｎ（Ｒ）−、（ＲＣ）２ＮＣ（Ｏ）−、ハロゲン原子、または水素原子であり、
各ＲＣは、独立して、（Ｃ１−Ｃ３０）ヒドロカルビルまたは（Ｃ１−Ｃ３０）ヘテロヒドロカルビルであり、
前記ヒドロカルビル、ヘテロヒドロカルビル、Ｓｉ（ＲＣ）３、Ｇｅ（ＲＣ）３、Ｐ（ＲＣ）２、Ｎ（ＲＣ）２、ＯＲＣ、ＳＲＣ、ＲＣＳ（Ｏ）−、ＲＣＳ（Ｏ）２−、（ＲＣ）２Ｃ＝Ｎ−、ＲＣＣ（Ｏ）Ｏ−、ＲＣＯＣ（Ｏ）−、ＲＣＣ（Ｏ）Ｎ（Ｒ）−、（ＲＣ）２ＮＣ（Ｏ）−、ヒドロカルビレン、及びヘテロヒドロカルビレン基のそれぞれは、独立して、非置換または１つ以上のＲＳ置換基によって置換され、
各ＲＳは、独立して、ハロゲン原子、ポリフルオロ置換、パーフルオロ置換、非置換（Ｃ１−Ｃ１８）アルキル、Ｆ３Ｃ−、ＦＣＨ２Ｏ−、Ｆ２ＨＣＯ−、Ｆ３ＣＯ−、Ｒ３Ｓｉ−、Ｒ３Ｇｅ−、ＲＯ−、ＲＳ−、ＲＳ（Ｏ）−、ＲＳ（Ｏ）２−、Ｒ２Ｐ−、Ｒ２Ｎ−、Ｒ２Ｃ＝Ｎ−、ＮＣ−、ＲＣ（Ｏ）Ｏ−、ＲＯＣ（Ｏ）−、ＲＣ（Ｏ）Ｎ（Ｒ）−、もしくはＲ２ＮＣ（Ｏ）−であり、または前記ＲＳのうちの２つが一緒になって、非置換（Ｃ１−Ｃ１８）アルキレンを形成し、各Ｒは、独立して、非置換（Ｃ１−Ｃ１８）アルキルであり、
任意選択で、ＲｃまたはＲＳは、Ｍとの追加の相互作用を有してもよい）を有する、方法。
【請求項２】
Ｘが、（Ｃ１−Ｃ４０）ヒドロカルビル、（Ｃ１−Ｃ４０）ヘテロヒドロカルビル、Ｓｉ（ＲＣ）３、またはヒドリド基である、請求項１に記載の方法。
【請求項３】
Ｘが、置換ベンジルまたは置換ヘテロアリールベンジルである、請求項１に記載の方法。
【請求項４】
Ｘが、
【化２】
2018516294.tif 000002
かるなる群から選択される、請求項３に記載の方法。
【請求項５】
前記１つ以上のオレフィンモノマーが、エチレンを含む、請求項１〜４のいずれか一項に記載の方法。
【請求項６】
前記１つ以上のオレフィンモノマーが、α−オレフィンを含む、請求項１〜５のいずれか一項に記載の方法。
【請求項７】
前記１つ以上のオレフィンモノマーのうちの１つが、ジエンである、請求項１〜６のいずれか一項に記載の方法。
【請求項８】
前記１つ以上の触媒が、以下：
【化３】
2018516294.tif 000003
のうちの１つ以上を含む、請求項１〜７のいずれか一項に記載の方法。
【請求項９】
前記プロセスが、溶液相重合プロセス、気相重合プロセス、及びスラリー相重合からなる群から選択される１つ以上の重合プロセスにおいて実施される、請求項１〜８のいずれか一項に記載の方法。
【請求項１０】
前記方法が、直列または並列に接続される複数の反応器中で実施される、請求項１〜９のいずれか一項に記載の方法。
【手続補正２】
【補正対象書類名】明細書
【補正対象項目名】０１２１
【補正方法】変更
【補正の内容】
【０１２１】
本発明は、その趣旨及び本質的な属性から逸脱することなく他の形態で実施することができ、したがって、本発明の範囲を示す前述の明細書ではなく、添付の特許請求の範囲が参照されるべきである。
本願発明には以下の態様が含まれる。
項１．
１つ以上の触媒の存在下で、１つ以上のオレフィンモノマーを接触させることを含むポリオレフィンを生成するための方法であって、前記触媒のうちの１つ以上が、以下の構造：
【化１】
2018516294.tif 000004
（式中、Ｍは、ａ＋３形式酸化状態であるＩＩＩ族またはランタニド金属であり、
各発生において独立したＲＡは、（Ｃ１−Ｃ４０）ヒドロカルビル、（Ｃ１−Ｃ４０）ヘテロヒドロカルビル、Ｓｉ（ＲＢ）３、Ｇｅ（ＲＢ）３、Ｐ（ＲＢ）２、Ｎ（ＲＢ）２、ＯＲＢ、ＳＲＢ、ＮＯ２、ＣＮ、ＣＦ３、ＲＢＳ（Ｏ）−、ＲＢＳ（Ｏ）２−、（ＲＢ）２Ｃ＝Ｎ−、ＲＢＣ（Ｏ）Ｏ−、ＲＢＯＣ（Ｏ）−、ＲＢＣ（Ｏ）Ｎ（Ｒ）−、（ＲＢ）２ＮＣ（Ｏ）−、ハロゲン原子、水素原子、及び任意のそれらの組み合わせからなる群から選択され、
任意選択で、２つ以上のＲＡ基は、１つ以上の環構造に一緒に組み合わせることができ、このような環構造は、各環構造中に任意の水素原子を除いて、３〜５０個の原子を有し、
Ｚは、［（ＲＤ）ｎＧ］ｍであり、式中、ｍ＝１、２、３、または４であり、Ｇは、炭素、ケイ素、ゲルマニウム、またはホウ素から独立して選択され、Ｇが炭素、ケイ素、またはゲルマニウムであるとき、ｎ＝２であり、Ｇがホウ素であるとき、ｎ＝１であり、
Ｙは、Ｍ及びＺに結合されて、−Ｏ−、−Ｓ−、−ＮＲＥ−、及び−ＰＲＥ−からなる群から選択され、
各ＲＢ、ＲＤ、またはＲＥは、独立して、（Ｃ１−Ｃ３０）ヒドロカルビルまたは（Ｃ１−Ｃ３０）ヘテロヒドロカルビルであり、
各Ｘは、独立して、ｎ＞０であるモノアニオン性または中性であり、各Ｘは、独立して、（Ｃ１−Ｃ４０）炭化水素、（Ｃ１−Ｃ４０）ヘテロ炭化水素、（Ｃ１−Ｃ４０）ヒドロカルビル、（Ｃ１−Ｃ４０）ヘテロヒドロカルビル、Ｓｉ（ＲＣ）３、Ｇｅ（ＲＣ）３、Ｐ（ＲＣ）２、Ｎ（ＲＣ）２、ＯＲＣ、ＳＲＣ、ＣＮ、ＣＦ３、ＲＣＳ（Ｏ）−、ＲＣＳ（Ｏ）２−、（ＲＣ）２Ｃ＝Ｎ−、ＲＣＣ（Ｏ）Ｏ−、ＲＣＯＣ（Ｏ）−、ＲＣＣ（Ｏ）Ｎ（Ｒ）−、（ＲＣ）２ＮＣ（Ｏ）−、ハロゲン原子、または水素原子であり、
各ＲＣは、独立して、（Ｃ１−Ｃ３０）ヒドロカルビルまたは（Ｃ１−Ｃ３０）ヘテロヒドロカルビルであり、
前記ヒドロカルビル、ヘテロヒドロカルビル、Ｓｉ（ＲＣ）３、Ｇｅ（ＲＣ）３、Ｐ（ＲＣ）２、Ｎ（ＲＣ）２、ＯＲＣ、ＳＲＣ、ＲＣＳ（Ｏ）−、ＲＣＳ（Ｏ）２−、（ＲＣ）２Ｃ＝Ｎ−、ＲＣＣ（Ｏ）Ｏ−、ＲＣＯＣ（Ｏ）−、ＲＣＣ（Ｏ）Ｎ（Ｒ）−、（ＲＣ）２ＮＣ（Ｏ）−、ヒドロカルビレン、及びヘテロヒドロカルビレン基のそれぞれは、独立して、非置換または１つ以上のＲＳ置換基によって置換され、
各ＲＳは、独立して、ハロゲン原子、ポリフルオロ置換、パーフルオロ置換、非置換（Ｃ１−Ｃ１８）アルキル、Ｆ３Ｃ−、ＦＣＨ２Ｏ−、Ｆ２ＨＣＯ−、Ｆ３ＣＯ−、Ｒ３Ｓｉ−、Ｒ３Ｇｅ−、ＲＯ−、ＲＳ−、ＲＳ（Ｏ）−、ＲＳ（Ｏ）２−、Ｒ２Ｐ−、Ｒ２Ｎ−、Ｒ２Ｃ＝Ｎ−、ＮＣ−、ＲＣ（Ｏ）Ｏ−、ＲＯＣ（Ｏ）−、ＲＣ（Ｏ）Ｎ（Ｒ）−、もしくはＲ２ＮＣ（Ｏ）−であり、または前記ＲＳのうちの２つが一緒になって、非置換（Ｃ１−Ｃ１８）アルキレンを形成し、各Ｒは、独立して、非置換（Ｃ１−Ｃ１８）アルキルであり、
任意選択で、ＲｃまたはＲＳは、Ｍとの追加の相互作用を有してもよく、
重合を開始するために、活性化剤を必要としない）を有する、方法。
項２．
Ｘが、（Ｃ１−Ｃ４０）ヒドロカルビル、（Ｃ１−Ｃ４０）ヘテロヒドロカルビル、Ｓｉ（ＲＣ）３、またはヒドリド基である、項１に記載の方法。
項３．
Ｘが、置換ベンジルまたは置換ヘテロアリールベンジルである、項１に記載の方法。
項４．
Ｘが、
【化２】
2018516294.tif 000005
かるなる群から選択される、項３に記載の方法。
項５．
前記１つ以上のオレフィンモノマーが、エチレンを含む、項１〜４のいずれか一項に記載の方法。
項６．
前記１つ以上のオレフィンモノマーが、α−オレフィンを含む、項１〜５のいずれか一項に記載の方法。
項７．
前記１つ以上のオレフィンモノマーのうちの１つが、ジエンである、項１〜６のいずれか一項に記載の方法。
項８．
前記１つ以上の触媒が、以下：
【化３】
2018516294.tif 000006
のうちの１つ以上を含む、項１〜７のいずれか一項に記載の方法。
項９．
前記プロセスが、溶液相重合プロセス、気相重合プロセス、及びスラリー相重合からなる群から選択される１つ以上の重合プロセスにおいて実施される、項１〜８のいずれか一項に記載の方法。
項１０．
前記方法が、直列または並列に接続される複数の反応器中で実施される、項１〜９のいずれか一項に記載の方法。